(57)【要約】【課題】安全かつ好適にデータを受け渡すことができる帳票作成システムを提供することである。【解決手段】実施形態の帳票作成システムは、監視装置と、帳票出力装置とを持つ。監視装置は、通信部と、帳票情報生成部と、コード化画像生成部とを持つ。通信部は、自動改札機と通信する。帳票情報生成部は、前記通信部により前記自動改札機から受信された情報に基づいて、前記自動改札機における処理履歴に基づく帳票情報を生成する。コード化画像生成部は、前記帳票情報生成部により生成された帳票情報をエンコードしたコード画像を生成し、第１の印刷装置に、媒体に前記コード画像を印刷させる。帳票出力装置は、前記媒体に印刷されたコード画像をデコードして前記帳票情報を読み取るリーダにより読み取られた帳票情報に基づいて、第２の印刷装置に帳票を印刷させる。【選択図】図１
2018092410.tif 000002
【特許請求の範囲】
【請求項１】
自動改札機と通信する通信部と、
前記通信部により前記自動改札機から受信された情報に基づいて、前記自動改札機における処理履歴に基づく帳票情報を生成する帳票情報生成部と、
前記帳票情報生成部により生成された帳票情報をエンコードしたコード画像を生成し、第１の印刷装置に、媒体に前記コード画像を印刷させるコード画像生成部と、
を備える監視装置、および
前記媒体に印刷されたコード画像をデコードして前記帳票情報を読み取るリーダにより読み取られた帳票情報に基づいて、第２の印刷装置に帳票を印刷させる帳票出力装置を備える帳票作成システム。
【請求項２】
複数業者の乗り入れ駅に設置される請求項１記載の帳票作成システムであって、
前記監視装置は、前記自動改札機により判別された業者ごとの利用履歴に基づいて、前記帳票情報を生成する、
請求項１記載の帳票作成システム。
【請求項３】
前記監視装置は、前記業者ごとの利用金額または利用人数を集計した情報に基づいて、前記帳票情報を生成する、
請求項２記載の帳票作成システム。
【請求項４】
前記監視装置と前記帳票出力装置とは、それぞれ、異なる業者のネットワークに接続される、
請求項２または請求項３記載の帳票作成システム。
【発明の詳細な説明】
【技術分野】
【０００１】
本発明の実施形態は、帳票作成システムに関する。
【背景技術】
【０００２】
従来、鉄道の駅などの設置された自動改札機は、監視盤と称される装置に接続され、監視盤に処理結果を送信している。監視盤では、その駅の利用状況などを示す帳票と称される書面を作成するための処理が行われる。ところで、監視盤と、帳票の印刷を制御する装置とが別体であることが想定されるが、この場合、安全かつ好適にデータを受け渡すことができない可能性があった。
【先行技術文献】
【特許文献】
【０００３】
【特許文献１】特開２０１４−１１９８４３号公報
【発明の概要】
【発明が解決しようとする課題】
【０００４】
本発明が解決しようとする課題は、安全かつ好適にデータを受け渡すことができる帳票作成システムを提供することである。
【課題を解決するための手段】
【０００５】
実施形態の帳票作成システムは、監視装置と、帳票出力装置とを持つ。監視装置は、通信部と、帳票情報生成部と、コード化画像生成部とを持つ。通信部は、自動改札機と通信する。帳票情報生成部は、前記通信部により前記自動改札機から受信された情報に基づいて、前記自動改札機における処理履歴に基づく帳票情報を生成する。コード化画像生成部は、前記帳票情報生成部により生成された帳票情報をエンコードしたコード画像を生成し、第１の印刷装置に、媒体に前記コード画像を印刷させる。帳票出力装置は、前記媒体に印刷されたコード画像をデコードして前記帳票情報を読み取るリーダにより読み取られた帳票情報に基づいて、第２の印刷装置に帳票を印刷させる。
【図面の簡単な説明】
【０００６】
【図１】帳票作成システムを含む駅システム１の構成図。
【図２】１つの自動改札機１０を上方から見た図。
【図３】自動改札機１０の機能構成の一例を示す図。
【図４】監視盤５０の機能構成を示す図。
【図５】自動改札機１０により実行される処理の流れを示すフローチャート。
【図６】監視盤５０により実行される処理の流れを示すフローチャート。
【図７】コード画像が印刷されたコード印刷紙片ＣＤの一例を示す図。
【図８】コードリーダ７０および帳票出力端末８０により実行される処理の流れを示すフローチャート。
【図９】駅システム１のネットワーク環境の一例を示す図。
【発明を実施するための形態】
【０００７】
以下、実施形態の帳票作成システムを、図面を参照して説明する。
【０００８】
図１は、帳票作成システムを含む駅システム１の構成図である。駅システム１は、例えば、一以上の自動改札機１０と、監視盤（監視装置）５０と、コード印刷紙片ＣＤを発行するコードプリンタ６０と、コード印刷紙片ＣＤにエンコードされた情報を読み取るコードリーダ７０と、帳票出力端末８０と、帳票プリンタ９０とを備える。
【０００９】
［自動改札機］
図２は、１つの自動改札機１０を上方から見た図である。自動改札機１０は、通路を挟んで対向配置される主機２０と従機３０とを備える。主機２０は、例えば、リーダライタ部２１と、上面表示部２２と、正面表示部２３と、扉部２４および２５と、制御部２６とを備える。また、従機３０は、リーダライタ部３１と、上面表示部３２と、正面表示部３３と、扉部３４および３５とを備える。
【００１０】
主機２０のリーダライタ部２１は、図２のａ方向に通過しようとする（駅から出場しようとする）利用者によって翳された媒体に記憶された情報を読み取って、読み取った情報を制御部２６に送信する。上面表示部２２は、制御部２６によって処理された結果を表示する。正面表示部２３は、図２のａ方向に通過可能であるか否かを示すマークや図形、文字等を表示する。正面表示部２３の表示内容は、制御部２６によって決定される。図２の例では、自動改札機１０は、ａ方向の通過のみ許可する動作モード（第１の動作モード）に設定されているため、主機２０の正面表示部２３は、通過を許可することを示すマークを表示している。制御部２６は、主機２０と従機３０の各部を制御する。
【００１１】
一方、従機３０のリーダライタ部３１は、ｂ方向に通過しようとする（駅に入場しようとする）利用者によって翳された媒体に記憶された情報を読み取って、読み取った情報を主機２０の制御部２６に送信する。上面表示部３２は、リーダライタ部３１に媒体が翳された場合に、主機２０の制御部２６によって処理された結果を表示する。正面表示部３３は、ｂ方向に通過可能であるか否かを示すマークや図形、文字等を表示する。正面表示部３３の表示内容は、主機２０の制御部２６によって決定される。図２の例では、自動改札機１０は、ａ方向の通過のみ許可する第１の動作モードに設定されているため、従機３０の正面表示部３３は、通過を禁止することを示すマークを表示している。
【００１２】
主機２０の制御部２６は、自動改札機１０が第１の動作モードに設定されている場合には、扉部２５および３５を開放状態に維持すると共に、扉部２４および３４を開放状態または閉止状態に制御することで、ａ方向の利用者の通過を許可または禁止する。また、制御部２６は、自動改札機１０が図２のｂ方向の通過のみ許可する動作モード（第２の動作モード）に設定されている場合には、扉部２４および３４を開放状態に維持すると共に、扉部２５および３５を開放状態または閉止状態に制御することで、ｂ方向の利用者の通過を許可または禁止する。
【００１３】
リーダライタ部２１および３１は、例えば、自身に翳された媒体から乗車券情報を読み取る。媒体は、例えばＩＣカードである。本実施形態において、乗車券として使用される媒体は、少なくとも、利用者または媒体の乗車券情報を保持可能なものであればよく、ＩＣカードの他、カードエミュレーション機能を有する携帯電話などの電子デバイス、ＱＲコード（登録商標）、バーコードなどのコード画像が印刷された紙媒体、無線通信機能を有するＲＦＩＤタグなどが乗車券として使用されてよい。以下の説明では、乗車券としてＩＣカードが使用されるものとする。乗車券情報は、乗車券の識別情報や、乗車券の効力を示す効力情報（例えば利用することができる区間を示す情報）、入場駅の識別情報、入場駅に入場した時刻等を含む。リーダライタ部２１および３１は、例えば、１３.５６［ＭＨｚ］の通信帯域を使用して媒体と通信を行う。
【００１４】
図３は、自動改札機１０の機能構成の一例を示す図である。自動改札機１０は、図２に示す構成の他、例えば、監視盤５０と通信を行う改札機側通信部４０と、種々の情報を格納する改札機側記憶部４２とを更に備える。
【００１５】
制御部２６は、ＣＰＵ（Central Processing Unit）等のプロセッサが改札機側記憶部４２に記憶されたプログラムを実行することにより実現されてよい。また、制御部２６は、ＬＳＩ（Large Scale Integration）、ＡＳＩＣ（Application Specific Integrated Circuit）、ＦＰＧＡ（Field-Programmable Gate Array）等のハードウェアによって実現され、制御部２６の機能を実現するための回路構成を有してもよい。また、制御部２６は、ソフトウェアとハードウェアの協働によって実現されてもよい。
【００１６】
改札機側記憶部４２は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。改札機側記憶部４２は、プロセッサが実行するプログラムや、各駅間（または利用距離ごと）の料金が記憶された運賃テーブル４４を格納する他、自機が設置された駅の識別情報や、自機の識別情報、各駅間の距離等を格納する。
【００１７】
制御部２６は、リーダライタ部２１（３１）により取得された取得情報に基づいて、利用者の通過可否を判定し、判定結果に基づいて、利用者の通過を許可、あるいは禁止する制御を行う。例えば、制御部２６は、乗車券情報に含まれる効力情報が、利用者が利用した区間を満たす場合、利用者の通過を許可し、利用者が利用した区間を満たさない場合、利用者の通過を禁止する。制御部２６は、通過の許可または禁止の判定に応じて、扉部２４，２５、３４，３５、上面表示部２２、３２、または正面表示部２３、３３を制御する。
【００１８】
また、制御部２６は、入出場処理に関して行った処理の履歴を改札機側記憶部４２に記憶させておき、監視盤５０からの要求に従って処理の履歴を監視盤５０に送信する。入出場処理に関して行った処理の履歴とは、鉄道を利用した利用者の入場駅や、出場駅、入場駅への入場時刻、出場駅からの出場時刻、乗車券の識別情報、後述する利用した路線の情報等である。例えば、制御部２６は、図２のａ方向に通過しようとする利用者に関して行った処理の履歴、および図２のｂ方向に通過しようとする利用者に関して行った処理の履歴のうち、一方または双方を監視盤５０に送信する。
【００１９】
［監視盤］
図４は、監視盤５０の機能構成を示す図である。監視盤５０は、例えば、ネットワーク通信部５１と、操作入力部５２と、制御部５３と、記憶部５８とを備える。
【００２０】
ネットワーク通信部５１は、自動改札機１０により送信された処理の履歴を受信し、制御部５３に出力する。
【００２１】
操作入力部５２は、監視盤５０を管理する管理者によって入力された情報を受け付ける。操作入力部５２は、例えば、表示部と入力部が一体に形成されたタッチパネルである。なお、操作入力部は、キーボードや、スイッチ等であってもよい。
【００２２】
制御部５３は、例えば、利用状況リクエスト送信制御部５４と、帳票情報生成部５５と、コード画像生成部５６とを備える。利用状況リクエスト送信制御部５４は、所定の時刻や、所定の時間間隔ごと、或いは操作入力部５２に対してなされた操作に応じて、自動改札機１０に処理の履歴の送信を要求する。
【００２３】
帳票情報生成部５５は、ネットワーク通信部５１により自動改札機１０から受信された情報に基づいて、自動改札機１０における処理の履歴に基づく帳票情報を生成する。コード画像生成部５６は、帳票情報生成部５５により生成された帳票情報をエンコードしたコード画像を生成し、コードプリンタ６０に印刷させる。コード画像は、例えば、ＱＲコードを含む画像である。
【００２４】
記憶部５８には、自動改札機１０から送信された入出場処理に関して行った処理の履歴が記憶される。
【００２５】
［その他の機器等］
コードプリンタ６０は、例えば、装着されたロール紙などの媒体にコード画像を印刷するプリンタである。
【００２６】
コードリーダ７０は、例えば、カメラと、画像処理部とを備える。カメラは、コードリーダ７０に翳されたコード印刷紙片ＣＤを撮像する。画像処理部は、例えば、カメラにより撮像された画像を解析してコード画像の配列情報を取得し、配列情報をデコードして、ビット列などで表されるコンピュータが認識可能な電子情報（元の帳票情報）に変換する。
【００２７】
帳票出力端末８０は、コードリーダ７０により読み取られた帳票情報に基づいて、帳票プリンタ９０に帳票を印刷させる。
【００２８】
帳票プリンタ９０は、例えば、装着された印刷用紙などの媒体に、帳票出力端末８０により生成された帳票情報を印刷する。
【００２９】
本実施形態では、監視盤５０は、例えば、二以上の鉄道事業者の路線が乗り入れられ、自動改札機１０が二以上の路線で共用される乗り入れ駅に設置される。監視盤５０は、例えば、二以上の鉄道事業者のうち第１の鉄道事業者によって管理され、コードリーダ７０、帳票出力端末８０、および帳票プリンタ９０は、二以上の鉄道事業者のうち第２の鉄道事業者によって管理される。従って、コード印刷紙片ＣＤは、鉄道事業者間で受け渡される情報媒体である。
【００３０】
［自動改札機の処理］
図５は、自動改札機１０により実行される処理の流れを示すフローチャートである。なお、本処理は、利用者が駅を出場する際に実行される処理の流れを示すフローチャートである。
【００３１】
まず、制御部２６が、リーダライタ部２１にＩＣカードが翳されるまで待機する（ステップＳ１００）。ＩＣカードが翳され、リーダライタ部２１とＩＣカードとが通信すると、制御部２６は、通信結果からＩＣカードに記憶された情報（効力情報や入場駅の情報等）を取得する（ステップＳ１０２）。次に、制御部２６は、効力情報が当該駅を出場するための条件を満たすか否かを判定する（ステップＳ１０４）。効力情報が当該駅を出場するための条件を満たさない場合、本フローチャートの１ルーチンの処理は終了する。この場合、制御部２６は、扉部２４、３４を閉止状態に制御する。
【００３２】
効力情報が当該駅を出場するための条件を満たす場合、制御部２６は、改札処理を実行する（ステップＳ１０６）。例えば、制御部２６は、利用者が利用したＩＣカードが定期券でない場合、利用者のＩＣカードにチャージされた金額から利用区間に応じた金額を差し引き、扉部２４、３４を開放状態に制御する。
【００３３】
次に、制御部２６は、ステップＳ１０２で取得した情報に基づいて、利用者が第１の事業者の路線を利用したか否かを判定する（ステップＳ１０８）。制御部２６は、ＩＣカードに記憶された入出場に関する処理の履歴を参照して、第１の事業者の路線を利用したか否かを判定する。例えば、制御部２６は、利用者の入場駅が第１の事業者の路線である場合、第１の事業者の路線を利用したと判定し、利用者の入場駅が第２の事業者の路線である場合、第２の事業者の路線を利用したと判定する。
【００３４】
利用者が第１の事業者の路線を利用している場合、制御部２６は、改札処理の結果に対応付けて、第１の事業者の路線を利用したことを示す情報を改札機側記憶部４２に記憶させる（ステップＳ１１０）。利用者が第１の事業者の路線を利用していない場合、制御部２６は、改札処理の結果に対応付けて、第２の事業者の路線を利用したことを示す情報を改札機側記憶部４２に記憶させる（ステップＳ１１２）。これにより本フローチャートの処理は終了する。
【００３５】
上述した処理によって、改札機側記憶部４２には、改札処理の結果と、利用者が利用した路線の情報とが対応付けられて記憶される。
【００３６】
［監視盤の処理］
図６は、監視盤５０により実行される処理の流れを示すフローチャートである。まず、利用状況リクエスト送信制御部５４が、情報取得タイミングが到来したか否かを判定する（ステップＳ２００）。情報取得タイミングが到来すると、利用状況リクエスト送信制御部５４は、入出場処理に関して行った処理の履歴を自動改札機１０に送信するように要求する（ステップＳ２０２）。次に、帳票情報生成部５５が、自動改札機１０から入出場処理に関して行った処理の履歴を取得するまで待機する（ステップＳ２０４）。
【００３７】
なお、ステップＳ２０２の処理で、利用状況リクエスト送信制御部５４が、第２の事業者の路線を利用した出場処理の履歴のみを送信することを要求した場合、帳票情報生成部５５は、自動改札機１０から第２の事業者の路線を利用した出場処理に関して行った処理の履歴のみを取得してもよい。また、利用状況リクエスト送信制御部５４は、任意の条件を満たす情報の送信を要求してもよい。任意の条件とは、例えば、所定の時間帯の入出場に関する処理の履歴や、入場駅が所定の区間に含まれる利用者の出場処理に関する処理の履歴等である。
【００３８】
自動改札機１０から入出場処理に関して行った処理の履歴を取得すると、帳票情報生成部５５は、情報を生成する処理を実行し（ステップＳ２０６）、情報の生成に成功したか否かを判定する（ステップＳ２０８）。例えば、帳票情報生成部５５は、自動改札機１０が入出場に関する処理を行って収受した金額や、駅を入出場した人数、当該駅の識別情報、入出場に関する処理が行われた日時等の情報（帳票情報）を生成する。より具体的には、帳票情報生成部５５は、入出場に関する処理の履歴のうち、第２の事業者の路線を利用し、且つ第１の事業者および第２の事業者の路線が乗り入れられ、自動改札機１０が二以上の路線で共用される乗り入れ駅で出場した利用者に関する処理の履歴の情報（例えば利用金額および利用人数）を生成する。ここで、帳票情報生成部５５は、予め設定された条件や、操作入力部５２により入力された条件に基づいて、情報を生成してもよい。上記の条件とは、例えば、入出場に関する処理の履歴のうち、所定の区間を利用した利用者数や、所定時間帯に入出場した利用者に関する処理の履歴、自動改札機ごとの利用者に関する処理の履歴等である。
【００３９】
データの生成に成功しなかった場合、帳票情報生成部５５は、異常を示す情報を操作入力部５２の表示部に表示させる（ステップＳ２２２）。データの生成に成功した場合、コード画像生成部５６が、コード画像を生成する（ステップＳ２１０）。次に、コード画像生成部５６が、コードプリンタ６０を印刷可能な状態に制御する（ステップＳ２１２）。次に、コード画像生成部５６は、印刷が指示されているか否かを判定する（ステップＳ２１４）。印刷が指示されていない場合、本フローチャートの処理は終了する。印刷が指示された場合、コード画像生成部５６は、コードプリンタ６０に印刷を実行させる（ステップＳ２１６）。
【００４０】
次に、コード画像生成部５６は、コードプリンタ６０の処理状況を取得し、取得した処理状況に基づいて、印刷が成功したか否かを判定する（ステップＳ２１８）。印刷が成功しなかった場合、ステップＳ２２２の処理に進む。印刷が成功した場合、コード画像生成部５６は、印刷が成功したことを示す情報を表示部に表示させる（ステップＳ２２０）。そして、コード画像が印刷されたコード印刷紙片ＣＤが出力される。これにより本フローチャートの１ルーチンの処理は終了する。
【００４１】
図７は、コード画像が印刷されたコード印刷紙片ＣＤの一例を示す図である。監視盤５０は、ＱＲコードＣを印刷したコード印刷紙片ＣＤをコードプリンタ６０に印刷させる。ＱＲコードＣには、複数の自動改札機１０から受信した、鉄道事業者ごとの入出場に関する処理の履歴の情報（帳票情報）がエンコードされている。鉄道事業者ごとの入出場に関する処理の履歴の情報とは、鉄道事業者ごとの入出場に関する処理の履歴の集計値や統計値であって、例えば、入出場に関する処理が行われた日、駅ＩＤ、および利用者が利用した鉄道事業者の識別情報に対して、利用者数、収受した金額等が対応付けられたものである。なお、ＱＲコードにエンコードされる情報は、上述したように駅ごとの利用者数および金額に限らず、自動改札機１０ごとの利用者数および金額であってもよいし、時間帯ごとの利用者数および金額であってもよい。コード印刷紙片ＣＤは、以下に述べるようにコードリーダ７０により処理される。
【００４２】
［コードリーダおよび帳票出力端末の処理］
図８は、コードリーダ７０および帳票出力端末８０により実行される処理の流れを示すフローチャートである。まず、コードリーダ７０が、コード印刷紙片ＣＤが翳されるまで待機する（ステップＳ３００）。コード印刷紙片ＣＤが翳されると、コードリーダ７０は、コード画像をデコードして、コード画像にエンコードされた情報（帳票情報）を取得することに成功したか否かを判定する（ステップＳ３０２）。コード画像にエンコードされた情報を取得することに成功しなかった場合、コードリーダ７０は、異常を示す情報を表示部（不図示）に表示させる（ステップＳ３１８）。
【００４３】
コード画像にエンコードされた情報を取得することに成功した場合、帳票出力端末８０が、コードリーダ７０からコード画像にエンコードされた情報を取得し、取得した情報を復元する（ステップＳ３０４）。復元とは、例えば、コード画像のデコードによって取得された電子情報に対して所定のチェックを行って、人が視認可能なテキスト情報等に変換することである。
【００４４】
次に、帳票出力端末８０は、情報の復元に成功したか否かを判定する（ステップＳ３０６）。情報の復元に成功しなかった場合、帳票出力端末８０は、異常を示す情報を表示部に表示させる（ステップＳ３１８）。情報の復元に成功した場合、帳票出力端末８０は、帳票プリンタ９０を印刷可能な状態に制御する（ステップＳ３０８）。
【００４５】
次に、帳票出力端末８０は、印刷が指示されているか否かを判定する（ステップＳ３１０）。印刷が指示されていない場合、本フローチャートの処理は終了する。印刷が指示されている場合、帳票出力端末８０は、帳票プリンタ９０に復元した情報の印刷を実行させる（ステップＳ３１２）。
【００４６】
次に、コード画像生成部５６は、コードプリンタ６０の処理状況を取得し、取得した処理状況に基づいて、印刷が成功したか否かを判定する（ステップＳ３１４）。印刷が成功しなかった場合、ステップＳ３１８の処理に進む。印刷が成功した場合、コード画像生成部５６は、印刷が成功したことを示す情報を表示部に表示させる（ステップＳ３１６）。そして、復元された情報が印刷された媒体が出力される。これにより本フローチャートの１ルーチンの処理は終了する。
【００４７】
上述したように、監視盤５０が、入出場に関する処理の履歴をエンコードしたコード画像を印刷したコード印刷紙片ＣＤを出力し、帳票出力端末８０が、コード印刷紙片ＣＤに印刷されたコード画像をデコードして、コード画像にエンコードされた入出場に関する処理の履歴を取得する。この結果、安全かつ好適にデータを受け渡すことができる。
【００４８】
図９は、駅システム１のネットワーク環境の一例を示す図である。監視盤５０と自動改札機１０とは、複数の鉄道事業者のうちＡ社（第１の鉄道事業者）により管理され、専らＡ社のネットワークに接続されている。一方、コードリーダ７０、帳票出力端末８０、および帳票プリンタ９０は、Ｂ社（第２の鉄道事業者）により管理され、専らＢ社のネットワークに接続されている。ここでＡ社のネットワークとＢ社のネットワークとを電子的に接続するのは、セキュリティの問題から好ましくないと考えられる場合がある、このため、電子媒体に情報を格納して受け渡すことも考えられるが、電子媒体の規格が合わなかったり、依然としてウイルス混入のおそれなどが懸念されたりする。
【００４９】
これに対して、本実施形態の駅システム１では、コード画像を印刷したコード印刷紙片ＣＤを媒介して情報を受け渡すため、セキュリティ上の問題が生じにくく、安全かつ好適にデータを受け渡すことができる。
【００５０】
なお、上述した例では、駅システム１は、二つの鉄道事業者の路線が乗り入れられ、自動改札機１０が二つの路線で共用される乗り入れ駅において適用されるものとして説明したが、二つの鉄道事業者に限らず、本実施形態の駅システム１は、三以上の鉄道事業者の路線が乗り入れられ、自動改札機１０が三以上の路線で共用される乗り入れ駅に設けられる場合においても適用されてもよい。この場合、コード画像には、各鉄道事業者の識別情報に対して、利用者数および収受した金額がエンコードされる。そして、帳票出力端末８０は、各鉄道事業者の識別情報に対して、利用者数および収受した金額が印刷された媒体を帳票プリンタ９０に出力させる。
【００５１】
以上説明した少なくともひとつの実施形態によれば、自動改札機１０と通信するネットワーク通信部５１と、ネットワーク通信部５１により自動改札機１０から受信された情報に基づいて、自動改札機１０における処理履歴に基づく帳票情報を生成する帳票情報生成部５５と、帳票情報生成部５５により生成された帳票情報をエンコードしたコード画像を生成し、コードプリンタ６０に、媒体にコード画像を印刷させるコード画像生成部５６とを備える監視盤５０、および媒体に印刷されたコード画像をデコードして帳票情報を読み取るコードリーダ７０により読み取られた帳票情報に基づいて、帳票プリンタ９０に帳票を印刷させる帳票出力端末８０を持つことにより、安全かつ好適にデータを受け渡すことができる。
【００５２】
上記説明した実施形態は、以下のように表現することができる。
自動改札機と通信する通信部と、
前記通信部により前記自動改札機から受信された情報に基づいて、前記自動改札機における処理履歴に基づく帳票情報を生成する帳票情報生成部と、
前記帳票情報生成部により生成された帳票情報をエンコードしたコード画像を生成し、第１の印刷装置に、媒体に前記コード画像を印刷させるコード画像生成部と、
を備える監視装置、および
前記媒体に印刷されたコード画像を解析して前記コード画像に含まれる配列情報を取得し、取得した配列情報をデコードして前記帳票情報を読み取るリーダにより読み取られた帳票情報に基づいて、第２の印刷装置に前記自動改札機における処理履歴に応じた帳票を印刷させる帳票出力装置を備える帳票作成システム。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１…駅システム、１０…自動改札機、５０…監視盤、５１…ネットワーク通信部、５２…操作入力部、５３…制御部、５８…記憶部、５４…利用状況リクエスト送信制御部、５５…帳票情報生成部、５６…コード画像生成部、６０‥コードプリンタ、７０…コードリーダ、８０…帳票出力端末、９０…帳票プリンタ
【図１】
2018092410.tif 000003
【図２】
2018092410.tif 000004
【図３】
2018092410.tif 000005
【図４】
2018092410.tif 000006
【図５】
2018092410.tif 000007
【図６】
2018092410.tif 000008
【図７】
2018092410.tif 000009
【図８】
2018092410.tif 000010
【図９】
2018092410.tif 000011